【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に配された少なくとも１つの入球口と、
前記入球口への入球に基づいて判定情報を取得する判定情報取得手段と、
前記判定情報取得手段により取得された判定情報に基づいて少なくとも大当たりであるかの当たり判定を行う当たり判定手段と、
前記当たり判定手段による当たり判定が大当たり当選である場合に、当選した大当たりの種別を設定する大当たり種別設定手段と、
前記当たり判定手段により当たり判定が行われるとその判定結果を示す識別図柄の変動表示の時間を決定する変動時間決定手段と、
前記識別図柄を変動表示したあと停止表示する識別図柄表示手段と、
前記識別図柄表示手段により大当たり当選を示す大当たり停止態様にて前記識別図柄が停止表示されたあと、遊技者に有利な大当たり遊技を行う大当たり遊技実行手段と、
通常確率状態又は前記通常確率状態よりも前記当たり判定手段により大当たり当選であると判定される確率が高い高確率状態に制御可能であると共に、
非時短状態又は前記非時短状態よりも前記変動時間決定手段により決定される前記識別図柄の変動表示の時間が短くなり易い時短状態に制御可能な遊技状態制御手段と、
遊技の進行に伴って実行される演出を制御する演出制御手段と、を備える遊技機において、
前記大当たり種別設定手段は、
前記大当たり遊技後の遊技状態が前記遊技状態制御手段により前記高確率状態且つ前記時短状態（以下「高確時短状態」という）に制御され得る高確時短大当たりに少なくとも設定可能なものであり、
前記高確時短大当たりには、
当該高確時短大当たりの当選に基づく前記大当たり遊技後の遊技状態が前記高確時短状態に制御されてから前記識別図柄の変動表示が所定の上限回数にわたって実行されると、前記遊技状態制御手段により前記高確率状態且つ前記非時短状態（以下「高確非時短状態」という）に制御されることになる高確時短制限有り大当たりが少なくともあり、
前記高確非時短状態に制御されてから遊技者に付与される特典は、前記高確時短状態に制御されてから遊技者に付与される特典よりも多くなり易いように設定されており、
前記演出制御手段は、
前記高確時短状態に制御されてから前記識別図柄の変動表示が前記所定の上限回数が終了するまでの期間は、当該高確時短状態に対応する第１演出モードに制御する一方で、
前記高確非時短状態に制御された場合には、当該高確非時短状態に対応する第２演出モードに制御するものであることを特徴とする遊技機。
【請求項２】
遊技球が流下可能な遊技領域に配された少なくとも１つの入球口と、
前記入球口への入球に基づいて判定情報を取得する判定情報取得手段と、
前記判定情報取得手段により取得された判定情報に基づいて少なくとも大当たりであるかの当たり判定を行う当たり判定手段と、
前記当たり判定手段による当たり判定が大当たり当選である場合に、当選した大当たりの種別を設定する大当たり種別設定手段と、
前記当たり判定手段により当たり判定が行われるとその判定結果を示す識別図柄の変動表示の時間を決定する変動時間決定手段と、
前記識別図柄を変動表示したあと停止表示する識別図柄表示手段と、
前記識別図柄表示手段により大当たり当選を示す大当たり停止態様にて前記識別図柄が停止表示されたあと、遊技者に有利な大当たり遊技を行う大当たり遊技実行手段と、
通常確率状態又は前記通常確率状態よりも前記当たり判定手段により大当たり当選であると判定される確率が高い高確率状態に制御可能であると共に、
非時短状態又は前記非時短状態よりも前記変動時間決定手段により決定される前記識別図柄の変動表示の時間が短くなり易い時短状態に制御可能な遊技状態制御手段と、
遊技の進行に伴って実行される演出を制御する演出制御手段と、を備える遊技機において、
前記大当たり種別設定手段は、
前記大当たり遊技後の遊技状態が前記遊技状態制御手段により前記高確率状態且つ前記時短状態（以下「高確時短状態」という）に制御され得る高確時短大当たりに少なくとも設定可能なものであり、
前記高確時短大当たりには、
当該高確時短大当たりの当選に基づく前記大当たり遊技後の遊技状態が前記高確時短状態に制御されてから前記識別図柄の変動表示が所定の上限回数にわたって実行されると、前記遊技状態制御手段により前記高確率状態且つ前記非時短状態（以下「高確非時短状態」という）に制御されることになる高確時短制限有り大当たりが少なくともあり、
前記高確非時短状態に制御されてから遊技者に付与される特典は、前記高確時短状態に制御されてから遊技者に付与される特典よりも多くなり易いように設定されており、
前記演出制御手段は、
前記高確時短状態に制御されてから前記識別図柄の変動表示が前記所定の上限回数が終了するまでの期間は、当該高確時短状態に対応する演出モードに制御するものであり、
前記高確時短状態に対応する演出モードの実行中に、高確非時短状態への移行を示唆する移行示唆演出を実行可能に構成されていること特徴とする遊技機。
【手続補正２】
【補正対象書類名】明細書
【補正対象項目名】０００８
【補正方法】変更
【補正の内容】
【０００８】
本発明の遊技機は、
遊技球が流下可能な遊技領域に配された少なくとも１つの入球口と、
前記入球口への入球に基づいて判定情報を取得する判定情報取得手段と、
前記判定情報取得手段により取得された判定情報に基づいて少なくとも大当たりであるかの当たり判定を行う当たり判定手段と、
前記当たり判定手段による当たり判定が大当たり当選である場合に、当選した大当たりの種別を設定する大当たり種別設定手段と、
前記当たり判定手段により当たり判定が行われるとその判定結果を示す識別図柄の変動表示の時間を決定する変動時間決定手段と、
前記識別図柄を変動表示したあと停止表示する識別図柄表示手段と、
前記識別図柄表示手段により大当たり当選を示す大当たり停止態様にて前記識別図柄が停止表示されたあと、遊技者に有利な大当たり遊技を行う大当たり遊技実行手段と、
通常確率状態又は前記通常確率状態よりも前記当たり判定手段により大当たり当選であると判定される確率が高い高確率状態に制御可能であると共に、
非時短状態又は前記非時短状態よりも前記変動時間決定手段により決定される前記識別図柄の変動表示の時間が短くなり易い時短状態に制御可能な遊技状態制御手段と、
遊技の進行に伴って実行される演出を制御する演出制御手段と、を備える遊技機において、
前記大当たり種別設定手段は、
前記大当たり遊技後の遊技状態が前記遊技状態制御手段により前記高確率状態且つ前記時短状態（以下「高確時短状態」という）に制御され得る高確時短大当たりに少なくとも設定可能なものであり、
前記高確時短大当たりには、
当該高確時短大当たりの当選に基づく前記大当たり遊技後の遊技状態が前記高確時短状態に制御されてから前記識別図柄の変動表示が所定の上限回数にわたって実行されると、前記遊技状態制御手段により前記高確率状態且つ前記非時短状態（以下「高確非時短状態」という）に制御されることになる高確時短制限有り大当たりが少なくともあり、
前記高確非時短状態に制御されてから遊技者に付与される特典は、前記高確時短状態に制御されてから遊技者に付与される特典よりも多くなり易いように設定されており、
前記演出制御手段は、
前記高確時短状態に制御されてから前記識別図柄の変動表示が前記所定の上限回数が終了するまでの期間は、当該高確時短状態に対応する第１演出モードに制御する一方で、
前記高確非時短状態に制御された場合には、当該高確非時短状態に対応する第２演出モードに制御するものであることを特徴とする遊技機である。